(57)【要約】【課題】  被収容物の量に応じて大小の収容部を使い分け可能であって、しかも、大小の鞄としても個別に使い分け可能な鞄を提供すること。【解決手段】  鞄本体１の収容部６内における広幅状の側面部に被取付面部７を形成すると共に被取付面部７に取付具８を配設し、この取付具８で内収容袋１３を前記被取付面部７に装脱可能に取り付けてある。【選択図】  図３
0003107889.tif 000002
【実用新案登録請求の範囲】
【請求項１】
鞄本体の収容部内における広幅状の側面部に被取付面部を形成すると共に当該被取付面部に取付具を配設し、この取付具で内収容袋を前記被取付面部に装脱可能に取り付けてあることを特徴とする鞄。
【請求項２】
取付具が、被収容物によって変わる内収容袋の大きさに対応して長さ調整可能な長さ調整部を有していることを特徴とする請求項１記載の鞄。
【請求項３】
鞄本体が、当該鞄本体の上部に少なくともイヤホーンを通し可能な通し孔部を有していることを特徴とする請求項１または２記載の鞄。
【考案の詳細な説明】
【技術分野】
【０００１】
本考案は、背負いタイプ、肩掛けタイプ、手提げタイプ等の各種の鞄に関係している。
【背景技術】
【０００２】
メインの収容部内にさらにサブの収容部を形成しているものがある。たとえば先行文献１に記載されている背負いバッグがあり、構成は、物を収容するための本袋と、該本袋の背面の内面側に設けられているパソコン収納部と、前記本袋の背面の上端近辺から下端近辺にかけて設けられている左右一対の背負いベルトとからなり、前記パソコン収納部が、前記本袋の背面の内面側と、本袋の胴襠との間に隙間を介して設けられるクッション体を有する側襠と、クッション体を有する前面部と、本袋の胴襠との間に隙間を介して設けられるクッション体を有する底襠とからなり、前記本袋の背面の外面側に、略Ｕ字形のクッション体が設けられている。
この背負いバッグでは、パソコン専用としてのパソコン収納部があることで、他の収納物と分けて別々に収納することができ、バッグ内においてメインとサブの収納部を使い分けできるという利便性がある。
ところで、この種のバッグは、構造的にある程度大きくならざるを得ないため、取り回しがやや面倒であるという不都合がある。すなわち、パソコン以外の収納物が僅かであっても、この僅かの収納物をメインの収納部に、パソコンを専用のパソコン収納部に、それぞれ収納することになるからであり、また、携行するものが収納物あるいはパソコンのみであってもバッグ全体を運ばなければならない。
【先行文献１】
【０００３】
実公平７−２２０９１号公報
【考案の開示】
【考案が解決しようとする課題】
【０００４】
解決しようとする課題は、第１には、被収容物の量に応じて大小の収容部を使い分け可能であって、しかも、大小の鞄としても個別に使い分け可能な鞄を、第２には、さらに、被収容物の量にかかわらず常に安定した保持状態に収容可能な鞄を、第３には、さらに、収容部を完全に閉めた状態でも収容部内の再生器等からイヤホーンを通じて音楽等を楽しむことが可能な鞄を提供することにある。
【課題を解決するための手段】
【０００５】
１．本考案では前記した課題を達成するため、以下の構成にしたことを特徴とする。
鞄本体の収容部内における広幅状の側面部に被取付面部を形成すると共に当該被取付面部に取付具を配設し、この取付具で内収容袋を前記被取付面部に装脱可能に取り付けてあることを特徴とする。
２．前記した１において、取付具が、被収容物によって変わる内収容袋の大きさに対応して長さ調整可能な長さ調整部を有していることを特徴とする。
３．前記した１または２において、鞄本体が、当該鞄本体の上部に少なくともイヤホーンを通し可能な通し孔部を有していることを特徴とする。
【０００６】
鞄本体の側面部とは、背負い鞄における背面部、肩掛け鞄における対向状の側面部、手提げ鞄における対向状の側面部を指す。鞄本体の形態は、背負い鞄、肩掛け鞄、手提げ鞄、その他の各種の袋物を含み自由であり、材質についても、布製、樹脂製、皮製、その他でよく制限がない。内収容袋の形態および材質についても同様である。被取付面部は、収容部内であればいずれであってもよい。取付具としては、バンド、スナップ、かぎホック、ファスナー、マジックテープ（商品名）、その他の各種の締具や留具等が挙げられるが、内収容袋を被取付面部に装脱可能に取り付け可能であるものであればよい。長さ調整具は、マジックテープ（商品名）、その他の公知の長さ調整可能なものであればいずれでもよい。通し孔部は、一つの孔であってもよいし、複数の孔であってもよく、孔の大きさは、一個あるいは二個のイヤホーンが通る程度であってもよいし、音量や選曲等のコントローラが通る大きさであってもよい。この通し孔部は、背負い鞄における背面部上部に形成するのが望ましい。
【考案の効果】
【０００７】
Ａ．請求項１により、被収容物の量に応じて大小の収容部を使い分けでき、しかも、大小の鞄としても個別に使い分けすることができる。したがって、例えば体操着等の衣服を収容部内に、教科書等を内収容袋に、それぞれ別けて収容することで整理して携行できる。
Ｂ．請求項２により、さらに、被収容物の量にかかわらず常に安定した保持状態に収容することができ、乱暴に扱っても内収容袋内の被収容物が飛び出してバランスを崩したりすることがない。
Ｃ．請求項３により、さらに、収容部を完全に閉めた状態でも、鞄本体上部の通し孔部に通したイヤホーンを通じて音楽等を楽しむことができ、従来のように蓋部を一部開けてイヤホーンを出していることによる視覚的な不満がない。
【考案を実施するための最良の形態】
【０００８】
図１には本考案の鞄における実施の1形態として、通学用鞄を例示しており、鞄本体１は外側背面部２左右の背負いベルト４に腕を通して背負うことが可能な背負いタイプのもので、蓋部５で開閉可能にしてある縦長の収容部６内における広幅状の内側背面部３に被取付面部７を形成すると共に、当該被取付面部７に取付具８を配設し、この取付具８で内収容袋１３を被取付面部７に装脱可能に取り付けている。
取付具８は、左右一対の広幅の帯状体からなり、端部のマジックテープ９を開閉することで内収容袋１３を装脱可能にしてある。そして、この取付具８には被収容物によって変わる内収容袋１３の大きさに対応して長さ調整可能な長さ調整部１０を設けてある。この長さ調整部１０は、マジックテープ９で形成してあり、フック側あるいはルーフ側のいずれか一方のテープ地を長くすることで長さ調整可能にしてある。
【０００９】
鞄本体１の背面部上部には少なくともイヤホーンを通し可能な通し孔部１１を開口形成してあり、そして、この通し孔部１１の内側の収容部６における背面部上側の内ポケット部１２には再生器等を出し入れ可能に形成することで、収容部６が閉じられた状態において、再生器から伸びるイヤホーンを通し孔部１１から外部に引き出せるようにしてある。通し孔部１１は覆い片１１ａで開閉可能に形成してある。また、通し孔部１１は図３の（ｃ）に示すように、十字状のスリット１１ｃを有するゴム板１１ｂで形成してもよい。
内収容袋１３は、上面の開口部１３ａから教科書等を出し入れし、提げ手１３ｂを持って運べるようにしてあり、襠部１３ｃの働きで教科書の量(厚さ)に対応し得るようにしてある。また、内収容袋１３内の上部には吊ポケット１３ｄを設けてある。
【００１０】
左右の背負いベルト４は、ベルト上端を鞄本体１の外側背面部２上端側に一体に接続固定している一方で、ベルト下端を鞄本体１底部に接続具１４を経て長さ調節可能に接続固定してある。また、左右の背負いベルト４におけるいずれか一方のベルト下端には、着脱可能な一対の雄・雌からなる継ぎ具１５を設けてあり、この継ぎ具１５を分離操作することで、ベルトから手を抜かずとも外せるように形成してある。
さらに、左右の背負いベルト４には、ベルト正面側に沿い複数のベルト通し部１６をそれぞれ設けてあり、これら任意の左右のベルト通し部１６にそれぞれ胸ベルト１７を通して取り付けてある。
【００１１】
この左右一対の胸ベルト１７は、着脱可能な一対の雄・雌からなる継ぎ具１８で接続あるいは分離可能にしてあると共に、ベルト長さを調整可能にしてあり、上下の任意のベルト通し部１６に胸ベルト１７を通してスナップ１９で留めてセットし、ベルト長さを調整することで、左右の背負いベルト４の左右間隔を使用者の体型および好みに応じて変更し得るようにしてある。これにより、体型がたとえば撫肩で背負いベルト４が肩から外れ易い場合等にも対応可能になる。
【００１２】
鞄本体１の外側背面部２下端にはウエストベルト２０を設けてある。また、蓋部５の外側正面部２１における外ポケット部２２の外蓋部２３内面には内側収容部２４を設けることで、携帯電話や筆記具等を収容可能に形成してある。そして、鞄本体１底部における外側背面部２下縁側にはチャック２５を開け閉めすることで雨カバー２６を出し入れ可能に設けてあり、雨カバー２６を引き出して鞄本体１に被せられるようにしてある。このチャック２５は外側背面部２下縁あるいは外側正面部２１下縁に配設するようにしてもよい。
【図面の簡単な説明】
【００１３】
【図１】本考案の鞄における実施の１形態を例示している背面側斜視図。
【図２】正面側斜視図。
【図３】（ａ）は収容部を開いて内収容袋を取り出した状態の正面側斜視図。（ｂ）は通し孔部の部分拡大斜視図。（ｃ）は通し孔部の他の例を示す部分拡大斜視図。
【図４】（ａ）は背負い状態の背面側斜視図。（ｂ）は胸ベルトの拡大斜視図。
【図５】一方の背負いベルトを外した状態の背面側斜視図。（ｂ）は鞄本体の底部を示す底面図。
【符号の説明】
【００１４】
１  鞄本体
２  外側背面部
３  内側背面部
４  背負いベルト
５  蓋部
６  収容部
７  被取付面部
８  取付具
９  マジックテープ
１０  長さ調整部
１１  通し孔部
１１ａ  覆い片
１１ｂ  ゴム板
１１ｃ  スリット
１２  内ポケット部
１３  内収容袋
１３ａ  開口部
１３ｂ  提げ手
１３ｃ  襠部
１３ｄ  吊ポケット
１４  接続具
１５、１８  継ぎ具
１６  ベルト通し部
１７  胸ベルト
１９  スナップ
２０  ウエストベルト
２１  外側正面部
２２  外ポケット部
２３  外蓋部
２４  内側収容部
２５  チャック
２６  雨カバー
【図１】
0003107889.tif 000003
【図２】
0003107889.tif 000004
【図３】
0003107889.tif 000005
【図４】
0003107889.tif 000006
【図５】
0003107889.tif 000007